(57)【要約】  カフ部と手部とを有する第一のパネルと、  前記第一のパネルに設けられ、オス部およびメス部とを有するシール部と、  ミシン目を有するアクセス部と、を有する手袋であって、  前記シール部のオス部とメス部は、一体に結合されて、前記第一のパネルの前記カフ部の内側に設けられた単一の押出成型部をなし、  前記シール部は、前記カフ部と前記手部との間のうちの前記カフ部に近い側に設けられていることを特徴とする手袋。
2014521843.tif 000002
【特許請求の範囲】
【請求項１】
カフ部と手部とを有する第一のパネルと、
前記第一のパネルに設けられ、オス部およびメス部とを有するシール部と、
ミシン目を有するアクセス部と、を有する手袋であって、
前記シール部のオス部とメス部は、一体に結合されて、前記第一のパネルの前記カフ部の内側に設けられた単一の押出成型部をなし、
前記シール部は、前記カフ部と前記手部との間のうちの前記カフ部に近い側に設けられていることを特徴とする手袋。
【請求項２】
前記手袋は、さらに、第二のパネルを有し、前記第一および第二のパネルには、角度を有する傾斜した角部が設けられていることを特徴とする請求項１に記載の手袋。
【請求項３】
前記ミシン目を有するアクセス部は、前記シール部および前記手部の間に位置することを特徴とする請求項１に記載の手袋。
【請求項４】
前記ミシン目を有するアクセス部は、ミシン目およびタブを有することを特徴とする請求項１に記載の手袋。
【請求項５】
前記タブは、前記ミシン目を破るために設けられていることを特徴とする請求項４に記載の手袋。
【請求項６】
前記第一のパネルは、フィルムからなることを特徴とする請求項１に記載の手袋。
【請求項７】
前記フィルムは、高密度ポリエチレン、中密度ポリエチレン、低密度ポリエチレンおよび直鎖状低密度ポリエチレンのうちの１つからなることを特徴とする請求項６に記載の手袋。
【請求項８】
前記フィルムは、プラスチック、ゴム、ポリマー、綿、ウール、ナイロンおよび不織材料のうちの１つからなることを特徴とする請求項６に記載の手袋。
【請求項９】
前記手部は、一本指、二本指、三本指、または四本指のうちの１つと、親指とからなることを特徴とする請求項１に記載の手袋。
【請求項１０】
前記手部は、グリップ部を有することを特徴とする請求項１に記載の手袋。
【請求項１１】
前記グリップ部は、隆起部、線状隆起部、スタンプされたパターン, ドット、Ｘ形状および幾何学的形状のうちの１つからなる請求項１０に記載の手袋。
【請求項１２】
密封可能な手袋の製造方法であって、
フィルムロール上の第一のパネルに少なくとも1つのミシン目を有するアクセス部を形成する工程と、
前記第一のパネルに、一体に結合可能なオス部とメス部からなる押出形成部を有する少なくとも1つのシール部を取り付ける工程と、
シームレスのカフ部端部をなす第二のパネルを形成する工程と、
前記手袋の手部をなす当該手袋の外縁を形成する工程と、
前記フィルムロールから各手袋を分離する工程と、
を含む前記手袋の製造方法。
【請求項１３】
前記第二のパネル部を形成する工程は、フィルムからなる第二のパネルを前記第一のパネルに重ね合わすかあるいは前記第一のパネルを折り曲げるかのいずれかの方法による請求項１２に記載の手袋の製造方法。
【請求項１４】
前記手袋の外縁を形成する工程は、前記フィルムロールを切断しかつシールするかあるいは前記フィルムロールを溶着するかのいずれかの方法による請求項１２に記載の手袋の製造方法。
【請求項１５】
前記フィルムは、高密度ポリエチレン、中密度ポリエチレン、低密度ポリエチレンおよび直鎖状低密度ポリエチレンのうちの１つからなることを特徴とする請求項１２に記載の手袋の製造方法。
【請求項１６】
前記フィルムは、プラスチック、ゴム、ポリマー、綿、ウール、ナイロンおよび不織材料のうちの１つからなることを特徴とする請求項１２に記載の手袋の製造方法。
【請求項１７】
さらに、前記手部にグリップ面を形成する工程を含む請求項１２に記載の手袋の製造方法。
【請求項１８】
前記手袋の外縁を形成する工程は、当該手袋の外縁を、シールされた状態で閉ざされかつ前記第一および第二のパネルの内面が衛生を保たれるように形成する請求項１２に記載の手袋の製造方法。
【請求項１９】
前記シール部は、前記カフ部に対し、当該カフ部が裏返されかつ前記シール部が再び結合してシールされた際に、前記手袋が袋状をなしかつ前記シール部が当該袋の内側にあるような位置に設けられている請求項１２に記載の手袋の製造方法。
【発明の詳細な説明】
【背景技術】
【０００１】
継続的な汚染問題として、血液由来病原体から動物の排泄物に至る、細菌に支配された固形廃棄物の処理または取り扱いが挙げられる。毎年、動物の排泄物に起因する危険性の高い細菌によって、浜辺や公園や河岸の閉鎖が強いられている。負傷したまたは死骸のネズミ、昆虫、トカゲ、鳥、カエルなどの捕獲または回収をする者は、病気や感染性病原体や寄生生物にさらされる。また、西ナイル熱の検査のために推奨されるような鳥の死骸の探索をする者は、汚染の危険にさらされる。汚染された肉やその他の食品を定期的に処分しなければならない者も数多い。また、証拠収集のため、または、洗浄することを必要とする物を保存するため、災害や流行病や惨事があった場所を片付ける者もいる。一般的に、それらの者は、保護手袋を着用して、固形廃棄物をビニール袋やゴミ袋に入れる。
【発明の概要】
【発明が解決しようとする課題】
【０００２】
廃棄物を収容する容器が適切に密閉されていない場合、臭気や流体や病原体が漏れ出る可能性がある。密封性を有する袋を用いることは、これらの問題の解決手段になり得る。しかしながら、依然として、回収作業をする者を廃棄物にさらすことになるだろう。したがって、手袋と袋とを使用する、または、器用さは制限されるが、袋を手袋として使用して廃棄物を密封することになるだろう。さらに、ジップロックタイプの袋を手袋として使用するならば、使用前にその袋を裏返す必要があるだろう。
【課題を解決するための手段】
【０００３】
廃棄物への不慮の接触から人を保護し、廃棄物を包含し、廃棄物が漏れ出ないように密封できる低廉で、便利なツールは、多くの用途で使用可能である。器用さを追求した軽量プラスチックグローブと、収容容器として機能するスリーブと、廃棄物が漏れ出ることを予防するジッパータイプの閉鎖機構との組み合せは、もっとも効果的で、この種の製品のなかでも便利なグループに属するものである。
【０００４】
現在、ジッパー付きの裏返すことができる手袋（グローブバック）という一般的概念は、１０年以上の間、いくつかの形で提案されているが、今日に至るまで、市場で商業的に利用可能である、密封可能な手袋は存在しない。このような製品が市場に存在しない理由はいくつか考えられる。手袋を裏返す操作についての簡単な説明は、その理由を理解するのに役立つであろう。
【０００５】
ジッパータイプの閉鎖機構を有する手袋（グローブバッグ）を衛生的な収納容器として機能させるために、まずは、その手袋を着用し、対象物を掴み、対象物を掴んだ状態で手を引き抜くことで手袋を裏返し、その掴んでいた対象物を手袋の中に配置する。そして、閉鎖機構を密封する。ここで、手袋を裏返すときに、一度結合したジッパー部が、１８０°回転することで、そのジッパー部（closure extrusions）が互いに結合しなくなり、操作不能となるという根本的な問題が現在に至るまで存在する。この問題を改善するための１つの解決手段として、手袋を着用する前に手袋全体を裏返しておくことが、1988年1月6日発行のUS Pat. 5,704,670（Donald Neil Surplus）に示されている。この特許文献では、「グローブバッグ（手袋）１０の使い方は、その手袋を裏返し、図４のように手に装着すること」と開示されている。手袋を裏返すことは、不便で時間のかかることであるばかりでなく、軽量プラスチックグローブの指部を実際に裏返すことは、非常に困難である。また、それは、袋とその密封性の完成度を下げるという問題をもたらす。
【０００６】
また、ジッパータイプの閉鎖機構は、「密封された」状態で製造されることにも注意しなければならない。手袋の製造過程で、その密封された閉鎖機構を有する袋を使用する前に裏返すことを考えると、以下の工程を必要とするだろう。第一に、ジッパータイプの閉鎖機構によって密封された袋を開封する工程が必要となる。第二に、その閉鎖機構を開封した袋を裏返すために、開口端を通してスリーブおよび手袋を引っ張るかあるいは空気を吹き込むことで袋を裏返し、最後に、手袋の形に切断する工程が必要となる。この製造過程におけるこれらの余分な工程は、余分な時間と余分なコストとを要する。この種の便利製品は、消費者が使用するために、製造時間を節約して低コストを実現しなければならない。
【０００７】
2001年3月20日発行のUS Pat.No.6,203,080の先行技術は、この種の便利製品は、低価格製品でなければならないことを教示している。この080特許では、1990年7月3日発行のUS Pat.No.4,937,881、1996年10月29日発行のUS Pat.No.5,568,955および1987年2月4日発行のUS Pat.No.4,645,251に掲載される複雑な製品が引用されている。080特許は、製造過程はシンプルだが、消費者が製品を裏返して使用しなければならないという困難さが残っており、便利な製品とはいえない。裏返す作業を製造過程の中に取り入れるとなると、より多くの工程が必要となり、それによりコストが余分にかかり、製品の商業的な成功可能性を狭めるだろう。さらに、製造過程に裏返す作業を取り入れたとしても、裏返すことで反転した縫い目が抵抗となり、製品の取り扱いや箱詰め作業、出荷作業における問題を発生させる。
【図面の簡単な説明】
【０００８】
【図１Ａ】図１Ａは、多目的衛生ディスポーザブル手袋を上側からみた実施形態を示す図である。
【０００９】
【図１Ｂ】図１Ｂは、多目的衛生ディスポーザブル手袋を上側からみた、図１Ａとは別の実施形態を示す図である。
【００１０】
【図２】図２は、開口した多目的衛生ディスポーザブル手袋の上側からみた実施形態を示す図である。
【００１１】
【図３】図３は、多目的衛生ディスポーザブル手袋のカフ部２４にユーザーの手が挿入された状態示す図である。
【００１２】
【図４】図４は、多目的衛生ディスポーザブル手袋のカフ部２４にユーザーの手が挿入された図３とは別の状態を示す図である。
【００１３】
【図５】図５は、カフ部２４が裏返された多目的衛生ディスポーザブル手袋を示す図である。
【００１４】
【図６】図６は、多目的衛生ディスポーザブル手袋の手部の実施形態を示す図である。
【００１５】
【図７】図７は、左右側面に曲線を有する多目的衛生ディスポーザブル手袋の形状を上側からみた実施形態を示す図である。
【００１６】
【図８−１１】図８乃至１１は、図１の線Ａに沿って示した断面図であり、多目的衛生ディスポーザブル手袋を裏返すときの過程を示している。
【発明を実施するための形態】
【００１７】
ここに示す多目的衛生ディスポーザブル手袋の実施形態は、”front panel zip extrusion”または”in-field zip extrusion”と呼ばれる異なるタイプのシール（シール機構／シール部）を備えている。これらは、手袋のスリーブ（袖）の部分をなすフィルムからなる単一のパネルに接着（付着）される。このシール機構は、手袋の製造工程前に、ロールフィルム上に仮に取り付けることができる。このシール機構は袋の一方の面にのみ取り付けられている。そのため、対象物の回収に先だってカフ部（cuff portion／手袋の腕回り部分）だけを裏返した後にジッパーを係止可能にする反転工程が、従来のジップロックタイプのシール機構を有する場合に比べ、最終ユーザーにとって相当に簡単な工程となる。また、本発明のシール機構を有する手袋は、製造装置の稼働時間を短くできるため、最終ユーザーや消費者に対してコストをより下げることができる。また、本発明にかかる手袋はフラットで、かつ完全に密封された未使用の状態で消費者の手元に届くので、市場での需要を満たすであろう。
【００１８】
図１は、多目的衛生ディスポーザブル手袋の実施形態を示す。手袋１０は、符号１２で示すような内向きに傾斜した角部（relieved corners）を有する。この角部１２は、９０°すなわち直角であるよりも、４５°程度の角度を有する。これにより、角部１２における負荷が少なくなり、手袋を機械的に裏返すことを容易にする。さらに、封止部２０を切断および密封をすると同時に、これらの角部１２の切断および密封を行うことができる。
【００１９】
この実施形態において、シール機構（ジッパー型パネルシール（zipping panel closure））は、フィルムシート２２に接着される。シール機構は、押出成形により形成されたオス部およびメス部が結合した押出成形部（mated extrusion／シール部）１４と、ミシン目を有するアクセス部（perforated access）１７と、このアクセス部１７に設けられたタブ部１６とを有する。ユーザーは、タブ部１６からアクセス部１７のミシン目を破り、アクセス部１７の残りの部分を分離し、オス部およびメス部が結合した押出成形部１４のラインを露出させる。このオス部およびメス部が結合した部分（押出成形部／シール部１４）は、カフ部の内側に位置し、タブ部１６は、後述するように、ユーザーがこのオス部およびメス部が結合した部分を分離することを可能とする。
【００２０】
以上のようなシール機構を有することで、消費者の手元に届く製品を、フラットでかつ包装や取り扱いを容易とした密封された製品とすることができる。さらに、手袋パネルの内部表面は、アクセス部１７が開かれるまで、手に触れることのない状態である。従来技術にあるような、手袋が「オープンエンド」になっている場合には、均一な寸法および構造を維持することが困難であり、それにより製造工程および包装工程における製品の取り扱いを妨げる。
【００２１】
手袋が完全に裏返されると、押出成形部１４は簡単に密封でき、再度開封することは非常に困難となる。なぜなら、シール部を開けるための蓋（タブ部）が、今は裏返され、袋の内側にあるからである。このことは、汚染の可能性があるもの（対象物）が入れられ、他の者や環境に接触しないようにする製品（手袋）についての重要な考慮事項である。
【００２２】
本発明のシール機構は手袋の一方の側に設けられているが、ユーザーは、左右どちらの手でも本発明にかかる手袋を使用することができる。このフロントパネル上のシール機構の配置および向きは、手袋の機能が正常に発揮されることを可能とする。タブ部１６およびアクセス部１７は、押出成形部１４と指部（手部）との間に設けられたとき、一般的に良く働く。一方、押出成形部１４と折り返し部１８との間に設けることもできるが、望ましい機能を発揮しない可能性がある。前者のような配置が、シール機構を結合させてシールする過程における使い勝手を促進する。
【００２３】
手袋の外周縁は、後に詳述するが、タブ部１６がアクセス１７のミシン目を破るまで、閉じた状態のままである。手袋が閉じた状態にあることで、使用前の手袋の衛生を保ち、ユーザーにとっての利点となる。閉じられた手袋部は、折り返し部１８と封止部２０とから構成される。アクセス部１７のミシン目が破られるまで、折り返し部１８も同様に密封された状態のままである。手袋は、さらにカフ部（cuff portion）２４で構成される。さらなる図面により、カフ部２４の構成がより明確になるだろう。
【００２４】
本発明の手袋はフィルムシート２２から形成される。フィルムシート２２は、多くの異なるプラスチックのうちの１つからなり、例えば、高密度ポリエチレン（ＨＤＰＥ）、中密度ポリエチレン（ＭＤＰＥ）、低密度ポリエチレン（ＬＤＰＥ）および直鎖状低密度ポリエチレン（ＬＬＤＰＥ）のうちの１つを含むが、これらに限定されない。あるいは、手袋（グローブバッグ）の材料は、プラスチックやゴムや、種々のポリマーからなる不織材料、または、綿、ウールやナイロンなどの織布、または、スパンレース若しくは水流交絡繊維や天然若しくは人造材料で作られた機械的若しくは化学的に結合した繊維等からなる不織材料を含む任意の材料であってもよい。一般的に、漏れ防止材は、手袋（グローブバッグ）の中に入れられるもの（対象物）がいかなるものであっても、悪臭や流体の漏れを防止するだろう。しかしながら、これにより、漏れ防止剤の基材が制限されることはない。事実、手袋と人の皮膚とが接触する医療用途における手袋は、患者の快適性を促進し得る軟質材料からなる。
【００２５】
図１Ｂは、手袋の外縁まで延在していないシール機構（zipping closure）２６を設けた手袋の実施形態を示す図である。このシール機構２６は、手袋の前面パネル２２２にのみ取り付けられているため、手袋の外縁まで延在することを必要としない。
【００２６】
図２は、手袋（グローブバッグ）の斜視図である。この図では、タブ部１６を引っ張ってアクセス部１７のミシン目を破ることによって、カフ部２４が前面パネル２２２から解放される。タブ部１６をさらに引っ張ることで、押出成形部１４がオス部１４２およびメス部１４４に分離される。この状態から、カフ部２４がオス部１４２とともに折り返し部１８を超えて裏返される。これ以降、手袋を着用する準備が可能となる。
【００２７】
図３は、ユーザーがカフ部２４の内側に指を挿入した状態を示す図である。これは、ユーザーがアクセス部１７のミシン目を破った後の状態である。タブ部１６をさらに引っ張ることで、押出成形部（シール部）１４がオス部１４２およびメス部１４４に分離する。
【００２８】
図４は、ユーザーがカフ部２４に指を挿入し、カフ部２４を裏返している状態を示す図である。ユーザーは、折り返し部１８を軸としてカフ部２４をオス部（またはメス部）とともに裏返すことになる。
【００２９】
図５は、カフ部２４を裏返した結果生じる開口部（斜線で示した部分）を示す図である。矢印３０は、手を挿入する方向を示す。一旦、カフ部２４が裏返されると、開口が折り返し部１８とオス部１４２との間に形成される。その後、ユーザーは、希望するものを回収するために手を挿入することができる。挿入した手によって手袋を介して希望するものを掴むと、開口部を通して回収するものを掴んだままの手を後ろに引き、手袋を裏返すことができる。そして、オス部１４２とメス部１４４が再度整列し、密封するための準備が整う。一旦密封されると、タブ部１６が手袋の内側に配置され、もはや押出成形部１４がオス部１４２およびメス部１４４に分離するのを補助することは不可能であるので、押出成形部１４が、再度開封されることは非常に困難である。
【００３０】
図６は、手袋の手部を示す図である。この実施形態は、四本の指と親指とを有する。しかしながら、ユーザーが関心のある任意のものを扱うとともに掴む能力を確保するために、手部は、一般的なサイズである。手の形状は、大、中、小、または子供用や大人用など、異なるサイズを有してよい。また、様々な特殊用途のためのインナー手袋の使用を容易にするため、オーバーサイズで構成されていてもよい。
【００３１】
対象物を扱いかつ掴むことを許容するための手の形状は、実施形態の範囲を限定することはなく、そのように限定する示唆もない。本発明にかかる手袋（グローブバッグ）は別の手の形状を有していてもよい。各図に示されているかどうかに関らず、任意の機能または変化が、すべての実施形態に適用されることに留意すべきである。手の形状は、ミトンハンド形状から構成されていてもよい。その他の手の形状として、二本指、三本指または四本指を有する手の形状から成っていてもよい。手の形状に関する用語の「指」は、実際に指一本のことを含むだけでなく、複数本であってもよい。指の部分は、手の形状のメインまたは手の平部分とは別の部分である。
【００３２】
手の形状は、グリップ性能を加えるために、線状隆起または隆起部（raised or lined ridges）を有していてもよい。これらは、手の形状をスタンピングする前に、スプレー法またはコーティングプロセスによってプラスチックへ適用することができる。線状隆起以外の構造を設けることは可能であり、ドット形状、「ｘ」形状および他の幾何学的形状などを含むが、これらに限定されない。
【００３３】
シール機構は、プラスチックのフィルムロールに適用することができる。製造中に、このフィルムは、図６に示した手の形状ように切断し、シールすることができる。図７は、プラスチックフィルムの「長方形」内に設けられた手の形状の一例を示す。解放された角部１２から延びる輪郭３２は、地面から何かを拾うときのように、ユーザーの腕が、下向きに保持される場合に、回収処理の過程で、手袋（グローブバッグ）がユーザーの手から滑り落ちるのを防ぐことを補助する。対象物を掴んだときに親指の位置をその対象物の下側に設ける、すなわち、親指とその他の指とを同じ面に設けないことで、素材による突っ張りが軽減される。
【００３４】
製造過程において、フィルムロール上で第一のパネルに、ミシン目を有したアクセス部１７が設けられる。この時、結合された状態（シールされた状態）のオス部１４２およびメス部１４４（すなわち、押出成形部）が、第一のパネルに取りつけられる。袋部を形成するために、第二のパネルフィルムが、第一のパネルに重ね合わせられるか、または、第一のパネルが折り曲げられる（この時、カフ部が形成されるまで折り曲げる。）。第二のパネルを形成するために、第一のパネルを折り曲げることは、カフ部がシームレスになるという利点をもたらす。図７に示すように手部は、フィルムロールを切断および密封し、または、それを溶着して形成することができる。その後、各手袋は、フィルムロールから分離される。
【００３５】
前述したように、手袋（グローブバッグ）は、ユーザーに、密封性と非汚染性とを提供する。図８は、図１をＡ線で切ったときの袋の断面図である。押出成形部１４は、前述のように、オス部１４２およびメス部１４４を有する。図８には、この特定の配置が示されているが、これらの配置は逆であってもよい。図８は、図１Ａからアクセス部１７のミシン目が破られたことを除いて、ユーザーが手袋（グローブバッグ）を受け取ったときの状態を示す図である。
【００３６】
図９は、カフ部２４が、オス部１４２とともに折り返し部１８を軸点として、矢印４０の方向に裏返された状態を示す図である。押出成形部１４の２つの部分（オス部およびメス部）は、この時点では、両方とも外側を向いている。図１０は、袋部の底部が、矢印４２の方向に開口部を通って引き戻されることを示す図である。図１１は、袋部の底部が矢印４２の方向に向いており、かつ、ユーザーによって手袋（グローブバッグ）の内部に取り入れられた対象物を密封するために、オス部１４２およびメス部１４４が結合している図である。
【００３７】
上記実施形態は、従来技術に比べていくつかの利点を有する。たとえば、すべての外周端部がシールされているため、平らな製品となり、包装を最も効率的とすることができる。また、製品を完全に密封された状態で顧客に配送するため、手袋（グローブバッグ）の内側は、未使用状態、すなわち、使用前に汚染されていない状態を確保している。
【００３８】
別の利点として、手袋を裏返し、その内部に対象物を一度密封すると、再び開封することが非常に困難であることが挙げられる。主に汚染物を拾い上げるために設計された現在の解決手段では、再度の開封を予防する、または、少なくとも遅らせることで、他の者または環境への更なる汚染を排除する。
【００３９】
ここで説明された実施形態は、製品を製造するための余分なツールをほとんど必要としないため、現在の解決手段よりも低コストで製造することができ、実用化に資する。
【００４０】
このような多目的衛生ディスポーザブル手袋の使用用途は数多くある。たとえば、.魚や肉を容易に片付けることを可能とし、嘔吐物、尿、油、接着剤などを容易に処分でき、ペーパータオルを用いて非衛生的な汚物を衛生的に取り扱うことを可能とする。また、おむつの清掃若しくは処分、動物の排泄物の清掃若しくは処分、便器の清掃作業における消臭剤「ミント」の処分等、灰皿の洗浄、ホテルの清掃、公衆トイレの女性用衛生用品の処分、あらゆる公共交通機関での清掃、保育所や病院における清掃、ネズミ捕りのような害虫駆除における体液や残骸の処分などに利用できる。このような手袋（グローブバッグ）を使用する可能性のある組織としては、家庭、保育所、事業所、緊急対応機関、病院、軍事機関、世界保健機関（ＷＨＯ）、米連邦緊急事態管理局、アメリカ赤十字、国際連合、疾病管理センター、運輸保安局、刑務所などがある。
【００４１】
密封可能なディスポーザブル手袋の特定の実施形態について説明してきたが、そのような具体的な参照は、以下の特許請求の範囲に記載される本発明の範囲を限定するものではない。
【図１Ａ】
2014521843.tif 000003
【図１Ｂ】
2014521843.tif 000004
【図２】
2014521843.tif 000005
【図３】
2014521843.tif 000006
【図４】
2014521843.tif 000007
【図５】
2014521843.tif 000008
【図６】
2014521843.tif 000009
【図７】
2014521843.tif 000010
【図８】
2014521843.tif 000011
【図９】
2014521843.tif 000012
【図１０】
2014521843.tif 000013
【図１１】
2014521843.tif 000014
【国際調査報告】
2014521843.tif 000015